(57)【要約】【課題】警備モードにおいて警備機能を維持しつつ装置の電源オフを制御できる画像形成装置を提供する。【解決手段】画像形成装置１は、画像情報を形成する画像形成の各モジュール２２と、商用電源からの電力を画像形成の各モジュール２２に供給又は遮断する電源スイッチ１０と、商用電源に対して電源スイッチ１０と並列に設置され、商用電源からの電力を供給又は遮断する遅延リレー１１と、所定の監視領域を撮影して警備する警備モードモジュール２５と、ユーザ認証を行う個人認証部２３と、商用電源からの電力の供給を制御するコントローラ２０とを有し、コントローラ２０は、電源スイッチ１０が遮断されたとき個人認証部２３にてユーザ認証されているユーザが電源遮断権限を有しない場合、遅延リレー１１を制御して商用電源からの電力を遅延リレー１１を経由して画像形成の各モジュール２２に供給させる。【選択図】図１
2009095980.tif 000002
【特許請求の範囲】
【請求項１】
画像情報を形成する画像形成手段と、
外部電源からの電力を前記画像形成手段に供給又は遮断する電源スイッチと、
前記外部電源に対して前記電源スイッチと並列に設置され、当該外部電源からの電力を供給又は遮断する開閉回路と、
所定の監視領域を撮影して警備する警備手段と、
ユーザ認証を行う認証手段と、
前記外部電源からの電力の供給を制御する制御手段と
を有し、
前記制御手段は、前記電源スイッチが遮断されたとき前記認証手段にてユーザ認証されているユーザが電源遮断権限を有しない場合、前記開閉回路を制御して前記外部電源からの電力を当該開閉回路を経由して前記画像形成手段に供給させることを特徴とする画像形成装置。
【請求項２】
前記警備手段が所定の監視領域を警備する警備モード、又は、当該警備手段を自動的に当該警備モードに切り換える自動切換えモードの設定を受け付ける受付手段を更に有し、
前記制御手段は、前記電源スイッチが遮断されたとき、前記受付手段により前記警備モード及び前記自動切換えモードのいずれにも設定されていない場合、前記開閉回路を制御して前記外部電源からの電力供給を遮断させることを特徴とする請求項１に記載の画像形成装置。
【請求項３】
前記外部電源からの電力を前記電源スイッチ又は前記開閉回路を経由して前記画像形成手段へ供給又は遮断する省エネ用開閉回路を更に有し、
前記制御手段は、前記電源スイッチが遮断されたとき前記認証手段にてユーザ認証されているユーザが電源遮断権限を有していない場合、前記省エネ用開閉回路を制御して前記画像形成手段への電力を遮断させることを特徴とする請求項１に記載の画像形成装置。
【請求項４】
画像情報を形成する画像形成手段と、
所定の監視領域を撮影して警備する警備手段と、
前記画像形成手段にて形成される画像情報と前記警備手段にて撮影された画像とを記録する画像記録手段と、
前記警備手段に内蔵され、当該警備手段にて撮影された画像を保存する画像保存部と、
前記警備手段に電力を供給する給電手段と、
外部電源からの電力の供給状況を検知し、前記警備手段を制御する制御手段と
を有し、
前記制御手段は、前記外部電源からの電力供給の停止を検知したとき、前記警備手段にて撮影された画像を前記画像保存部に保存させることを特徴とする画像形成装置。
【請求項５】
前記給電手段は、通信線を経由して前記画像形成手段にて形成される画像情報と電力の授受を行うことを特徴とする請求項４に記載の画像形成装置。
【請求項６】
前記制御手段は、前記外部電源からの電力供給の停止を検知したとき、前記給電手段を介して所定の通報を行うことを特徴とする請求項４に記載の画像形成装置。
【請求項７】
外部電源からの電力を前記画像形成手段に供給又は遮断する電源スイッチと、
ユーザ認証を行う認証手段とを更に有し、
前記制御手段は、前記電源スイッチが遮断されたとき前記認証手段にてユーザ認証されているユーザが電源遮断権限を有していないとき、及び、前記電源スイッチの操作以外の理由で前記外部電源からの電力供給の停止を検知したとき、前記警備手段にて撮影された画像を前記画像保存部に保存させることを特徴とする請求項４に記載の画像形成装置。
【請求項８】
前記警備手段に供給する電力の電源として、前記外部電源と前記給電手段のいずれか一方を選択する電源選択手段を更に含み、
前記給電手段は、前記外部電源からの電力を蓄電して前記警備手段に放出し、
前記外部電源からの電力供給の停止が検知されたとき、前記電源選択手段は前記警備手段の電源として前記給電手段を選択し、前記制御手段は当該警備手段にて撮影された画像を前記画像保存部に保存させることを特徴とする請求項４に記載の画像形成装置。
【請求項９】
ネットワークに接続し、当該ネットワークを経由して前記画像形成手段にて形成される画像情報の授受を行う接続手段を更に有し、
前記制御手段は、前記外部電源からの電力供給の停止を検知したとき、前記接続手段に接続した前記ネットワークを経由して所定の通報を行うことを特徴とする請求項４に記載の画像形成装置。
【請求項１０】
複数の画像形成装置がネットワークを介して接続され、
前記画像形成装置は、
画像情報を形成する画像形成手段と、
前記ネットワークに接続し、前記画像形成手段にて形成される画像情報の授受を行う接続手段と、
自機に関する監視領域又は自機に近接して配置された他の前記画像形成装置に関する監視領域を撮影して警備する警備手段と、
前記画像形成手段にて形成される画像情報と前記警備手段にて撮影された画像とを記録する画像記録手段と、
前記警備手段に電力を供給する給電手段と、
外部電源からの電力の供給状況を検知し、前記警備手段を制御する制御手段と
を有し、
前記制御手段は、前記外部電源からの電力供給の停止を検知したとき、前記ネットワークを経由して自機に近接して配置された他の前記画像形成装置に自機に関する監視領域を撮影させることを特徴とする画像形成システム。
【請求項１１】
コンピュータに、
外部電源からの電力を供給又は遮断する電源スイッチに対する操作を検知する検知機能、
前記電源スイッチが遮断されたとき認証手段にてユーザ認証されているユーザが電源遮断権限を有するか否かを判断する判断機能、
電源遮断権限を有しないと判断されたとき、前記外部電源に対して前記電源スイッチと並列に設置された開閉回路を制御して当該外部電源からの電力を当該開閉回路を経由して画像情報を形成する画像形成手段に供給させる制御機能
を実現させるプログラム。
【請求項１２】
コンピュータに、
外部電源からの電力の供給状況を検知する検知機能、
前記外部電源からの電力供給の停止を検知したとき、所定の監視領域を撮影して警備する警備手段にて撮影された画像を当該警備手段が内蔵する画像保存部に保存させる保存制御機能
を実現させるプログラム。
【発明の詳細な説明】
【技術分野】
【０００１】
本発明は、警備監視機能を備えた画像形成装置等に関する。
【背景技術】
【０００２】
警備監視機能を備えた画像形成装置に関する公報記載の従来技術として、例えば、通常の画像形成処理を実行する画像形成モードと侵入者の有無を検知する警備モードのいずれか一方に設定する技術が存在する（例えば、特許文献１参照）。かかる従来技術では、画像形成装置は監視領域撮影手段を備えて、所定時間毎に取り込んだ画像データを比較した結果で異常を検知し、また、蓄積された画像データで不審者を検出している。更に、警備監視機能モードである防犯モードの設定を、業務終了時にユーザが行ったり、タイマーによって自動的に設定したり、或いは、その逆に自動解除を可能にして、モードを切り換える技術を開示している。
【０００３】
【特許文献１】特開２００６−１３０８３５号公報
【発明の開示】
【発明が解決しようとする課題】
【０００４】
ところで、警備監視機能を備えた画像形成装置が警備モードに設定されている状況において、ユーザ或いは不審者が不注意により又は故意に装置の電源をオフしたときに、警備モードが機能しなくなるのは問題である。そもそも、警備モードにおいて不審者が（ユーザも）装置の電源をオフできること自体が問題である。特に、電源コードを抜かれた場合に警備モードが機能しないのは問題である。
かかる事態を防ぐ目的で、警備モード設定時には装置の電源をオフできないようにすれば、誤検知や節電等で電源をオフしたいときに容易にオフできないという問題が生じる。また、通常動作時も含めて電源を容易にオフできない設定としてしまうと、装置を操作しているときに、例えば異常が発生する等、なんらかの理由で装置の強制停止を望む場合であっても、これを行うことができなくなる。
【０００５】
本発明は、警備監視機能を備えた画像形成装置において、警備モードにおいて警備機能を維持しつつ装置の電源オフを制御できる画像形成装置等を提供することを目的とする。
【課題を解決するための手段】
【０００６】
請求項１に記載の発明は、画像情報を形成する画像形成手段と、外部電源からの電力を前記画像形成手段に供給又は遮断する電源スイッチと、前記外部電源に対して前記電源スイッチと並列に設置され、当該外部電源からの電力を供給又は遮断する開閉回路と、所定の監視領域を撮影して警備する警備手段と、ユーザ認証を行う認証手段と、前記外部電源からの電力の供給を制御する制御手段とを有し、前記制御手段は、前記電源スイッチが遮断されたとき前記認証手段にてユーザ認証されているユーザが電源遮断権限を有しない場合、前記開閉回路を制御して前記外部電源からの電力を当該開閉回路を経由して前記画像形成手段に供給させることを特徴とする画像形成装置である。
【０００７】
請求項２に記載の発明は、前記警備手段が所定の監視領域を警備する警備モード、又は、当該警備手段を自動的に当該警備モードに切り換える自動切換えモードの設定を受け付ける受付手段を更に有し、前記制御手段は、前記電源スイッチが遮断されたとき、前記受付手段により前記警備モード及び前記自動切換えモードのいずれにも設定されていない場合、前記開閉回路を制御して前記外部電源からの電力供給を遮断させることを特徴とする請求項１に記載の画像形成装置である。
請求項３に記載の発明は、前記外部電源からの電力を前記電源スイッチ又は前記開閉回路を経由して前記画像形成手段へ供給又は遮断する省エネ用開閉回路を更に有し、前記制御手段は、前記電源スイッチが遮断されたとき前記認証手段にてユーザ認証されているユーザが電源遮断権限を有していない場合、前記省エネ用開閉回路を制御して前記画像形成手段への電力を遮断させることを特徴とする請求項１に記載の画像形成装置である。
【０００８】
請求項４に記載の発明は、画像情報を形成する画像形成手段と、所定の監視領域を撮影して警備する警備手段と、前記画像形成手段にて形成される画像情報と前記警備手段にて撮影された画像とを記録する画像記録手段と、前記警備手段に内蔵され、当該警備手段にて撮影された画像を保存する画像保存部と、前記警備手段に電力を供給する給電手段と、外部電源からの電力の供給状況を検知し、前記警備手段を制御する制御手段とを有し、前記制御手段は、前記外部電源からの電力供給の停止を検知したとき、前記警備手段にて撮影された画像を前記画像保存部に保存させることを特徴とする画像形成装置である。
【０００９】
請求項５に記載の発明は、前記給電手段は、通信線を経由して前記画像形成手段にて形成される画像情報と電力の授受を行うことを特徴とする請求項４に記載の画像形成装置である。
請求項６に記載の発明は、前記制御手段は、前記外部電源からの電力供給の停止を検知したとき、前記給電手段を介して所定の通報を行うことを特徴とする請求項４に記載の画像形成装置である。
請求項７に記載の発明は、外部電源からの電力を前記画像形成手段に供給又は遮断する電源スイッチと、ユーザ認証を行う認証手段とを更に有し、前記制御手段は、前記電源スイッチが遮断されたとき前記認証手段にてユーザ認証されているユーザが電源遮断権限を有していないとき、及び、前記電源スイッチの操作以外の理由で前記外部電源からの電力供給の停止を検知したとき、前記警備手段にて撮影された画像を前記画像保存部に保存させることを特徴とする請求項４に記載の画像形成装置である。
請求項８に記載の発明は、前記警備手段に供給する電力の電源として、前記外部電源と前記給電手段のいずれか一方を選択する電源選択手段を更に含み、前記給電手段は、前記外部電源からの電力を蓄電して前記警備手段に放出し、前記外部電源からの電力供給の停止が検知されたとき、前記電源選択手段は前記警備手段の電源として前記給電手段を選択し、前記制御手段は当該警備手段にて撮影された画像を前記画像保存部に保存させることを特徴とする請求項４に記載の画像形成装置である。
請求項９に記載の発明は、ネットワークに接続し、当該ネットワークを経由して前記画像形成手段にて形成される画像情報の授受を行う接続手段を更に有し、前記制御手段は、前記外部電源からの電力供給の停止を検知したとき、前記接続手段に接続した前記ネットワークを経由して所定の通報を行うことを特徴とする請求項４に記載の画像形成装置である。
【００１０】
請求項１０に記載の発明は、複数の画像形成装置がネットワークを介して接続され、前記画像形成装置は、画像情報を形成する画像形成手段と、前記ネットワークに接続し、前記画像形成手段にて形成される画像情報の授受を行う接続手段と、自機に関する監視領域又は自機に近接して配置された他の前記画像形成装置に関する監視領域を撮影して警備する警備手段と、前記画像形成手段にて形成される画像情報と前記警備手段にて撮影された画像とを記録する画像記録手段と、前記警備手段に電力を供給する給電手段と、外部電源からの電力の供給状況を検知し、前記警備手段を制御する制御手段とを有し、前記制御手段は、前記外部電源からの電力供給の停止を検知したとき、前記ネットワークを経由して自機に近接して配置された他の前記画像形成装置に自機に関する監視領域を撮影させることを特徴とする画像形成システムである。
【００１１】
請求項１１に記載の発明は、コンピュータに、外部電源からの電力を供給又は遮断する電源スイッチに対する操作を検知する検知機能、前記電源スイッチが遮断されたとき認証手段にてユーザ認証されているユーザが電源遮断権限を有するか否かを判断する判断機能、電源遮断権限を有しないと判断されたとき、前記外部電源に対して前記電源スイッチと並列に設置された開閉回路を制御して当該外部電源からの電力を当該開閉回路を経由して画像情報を形成する画像形成手段に供給させる制御機能を実現させるプログラムである。
【００１２】
請求項１２に記載の発明は、コンピュータに、外部電源からの電力の供給状況を検知する検知機能、前記外部電源からの電力供給の停止を検知したとき、所定の監視領域を撮影して警備する警備手段にて撮影された画像を当該警備手段が内蔵する画像保存部に保存させる保存制御機能を実現させるプログラムである。
【発明の効果】
【００１３】
請求項１にかかる発明によれば、電源遮断権限を有しないユーザがユーザ認証されているとき装置の電源がオフされる事態を避けることができる。
請求項２にかかる発明によれば、警備手段が警備モード又は自動切換えモードに設定されていないときには、電源遮断権限の有無に関わらず簡単な操作で装置の電源をオフすることができる。
請求項３にかかる発明によれば、電源遮断権限を有しないユーザがユーザ認証されているときでも装置の電力消費の大部分を占める画像形成手段の電源をオフして待機電力の省力化を実現できると共に、警備手段を警備モードに維持することができる。
請求項４にかかる発明によれば、外部電源からの電力供給の停止を検知して、警備手段を消費電力の少ない警備動作に切り換えることができる。
請求項５にかかる発明によれば、既に接続されている通信線を利用して電力供給を受けることができる。
請求項６にかかる発明によれば、接続している通信回線を経由して異常の発生（電力供給の停止）を通知することができる。
請求項７にかかる発明によれば、外部電源からの電力供給が遮断されたとき、警備手段を消費電力が少ない警備動作に切り換えることができる。
請求項８にかかる発明によれば、高価格な蓄電手段の規模を小さく抑えることができる。
請求項９にかかる発明によれば、接続している外部ネットワークを経由して異常の発生を通知することができる。
請求項１０にかかる発明によれば、画像形成システムを形成している他の画像形成装置と、警備を補完できる。
請求項１１にかかる発明によれば、電源遮断権限を有しないユーザがユーザ認証されているとき装置の電源がオフされる事態を避けることができる。
請求項１２にかかる発明によれば、外部電源からの電力供給の停止を検知して、警備手段を消費電力の少ない警備動作に切り換えることができる。
【発明を実施するための最良の形態】
【００１４】
以下、本発明に係る画像形成装置の実施形態を図面を用いて説明する。
＜第１実施形態＞
図１は、第１実施形態に係る画像形成装置１の機能ブロック図である。実線は駆動電力線を示し、破線は信号線を示す。
画像形成装置１は、外部電源の一例としての商用電源からの電力を供給又は遮断する電源スイッチ１０と、電源スイッチ１０と並列に設置され、商用電源からの電力を供給又は遮断する開閉回路の一例としての遅延リレー１１とを有する。また、画像形成装置１は、商用電源からの電力を電源スイッチ１０及び遅延リレー１１のうち少なくともいずれか一方を経由して画像形成の各モジュール２２（後述）へ供給又は遮断する省エネ用開閉回路の一例としての省エネ用リレー１２と、後述するコントローラ２０に低電圧の電力を供給する第１低圧電源１３と、後述する画像形成の各モジュール２２に低電圧の電力を供給する第２低圧電源１４とを有する。
【００１５】
更に、画像形成装置１は、商用電源からの電力の供給を制御し、その他各種のユニットの動作を制御する制御手段の一例としてのコントローラ２０と、トナーを定着させるための定着器点灯回路及び定着器２１と、画像情報を形成する画像形成手段の一例としての画像形成の各モジュール２２とを有する。更にまた、画像形成装置１は、ユーザ認証を実行する認証手段の一例としての個人認証部２３と、ユーザが画像形成装置１に対してする操作を受け付け、後述する警備モードモジュール２５が所定の監視領域を警備する警備モード又は警備モードモジュール２５を自動的に警備モードに切り換える自動切換えモードの設定を受け付ける受付手段の一例としてのＵＩ部２４と、所定の監視領域を撮影して警備する警備手段の一例としての警備モードモジュール２５とを有する。
【００１６】
電源スイッチ１０は、例えば、レバースイッチ、スライドスイッチ等で構成される。電源スイッチ１０は、画像形成装置１にて消費される電力の開閉を行うため、画像形成装置１の定格に適合した仕様のスイッチが選択される。
遅延リレー１１は、例えば、パワーリレー等で構成される。遅延リレー１１は、後述するコントローラ２０からの制御信号を受けて開閉を行うため、画像形成装置１の定格に適合した仕様のスイッチが選択される。
省エネ用リレー１２は、例えば、パワーリレー等で構成される。省エネ用リレー１２は、後述するコントローラ２０からの制御信号を受けて開閉を行うため、画像形成の各モジュール２２の定格に適合した仕様のスイッチが選択される。
第１低圧電源１３及び第２低圧電源１４は、例えば、公知の低圧電源回路で構成される。具体的には、商用電源の種類に応じた単相又は三相のトランス（図示省略）にて降圧された交流を平滑回路（図示省略）にて直流に変換して得られる。
【００１７】
コントローラ２０は、例えば、ＣＰＵ（Ｃｅｎｔｒａｌ  Ｐｒｏｃｅｓｓｉｎｇ  Ｕｎｉｔ）等で構成される。コントローラ２０は、画像形成装置１の各種ユニットの動作を制御する。
定着器点灯回路及び定着器２１は、例えば、公知のトナー定着回路等で構成される。定着器点灯回路及び定着器２１は、動作時に比較的大電力を消費する。
画像形成の各モジュール２２は、例えば、公知の画像読取部、画像出力部等で構成される。
個人認証部２３は、例えば、公知のカードリーダ等で構成される。個人認証部２３は、例えば、ユーザのＩＤカードを読み込んで、そのユーザに操作が許容されている権限範囲を判断する。
【００１８】
ＵＩ部２４は、例えば、操作パネルやタッチボード等で構成される。ＵＩ部２４は、画像形成装置１に対するユーザの操作を受け付ける。また、ＵＩ部２４は、警備モードモジュール２５が所定の監視領域を警備する警備モード又は警備モードモジュール２５を自動的に警備モードに切り換える自動切換えモードの設定を受け付ける。
警備モードモジュール２５は、例えば、所定の監視領域を撮影する撮影手段の一例としての撮影装置２５ａ、メモリ２５ｂとＣＰＵとを備えて構成される。警備モードモジュール２５は、ＣＰＵが所定のプログラムを実行して警備動作を実行することにより実現される。
撮影装置２５ａは、例えば、静止画や動画の撮影を行う公知の撮影カメラで構成される。メモリ２５ｂは、例えば、フラッシュメモリ等消費電力が小さい公知の記憶媒体で構成される。
【００１９】
次に、このような構成を採用した画像形成装置１の動作を以下に説明する。
図２は、操作者が画像形成装置１の電源スイッチ１０をオフしたときの画像形成装置１における動作のフローチャートである。
【００２０】
操作者により電源スイッチ１０に対してオフの操作がされたとき、本プログラムは処理を開始する。電源スイッチ１０がオフされたので、商用電源から供給される電力は開状態となっている遅延リレー１１を経由して供給される。
電源スイッチ１０に対するオフの操作をされてコントローラ２０が検知すると（ステップ１０１）、コントローラ２０は警備モードモジュール２５に設定されているモードを確認する（ステップ１０２）。
【００２１】
警備モードモジュール２５が警備モードと自動切換えモードのいずれにも設定されていないとき（ステップ１０２：Ｎ）、画像形成装置１は警備の必要がないのであるから、操作者の操作に従ってコントローラ２０は遅延リレー１１に対して開放の指示を出して、供給電力を遮断する（ステップ１０４）。
これに対して、警備モードモジュール２５が警備モード又は自動切換えモードに設定されているとき（ステップ１０２：Ｙ）、ＵＩ部２４にてユーザ認証されているユーザが電源遮断権限を有する者であるか否かを確認する（ステップ１０３）。
【００２２】
電源遮断権限を有する者であることを確認したとき（ステップ１０３：Ｙ）、操作者の操作に従ってコントローラ２０は商用電源から供給される電力を遮断するように遅延リレー１１に対して指示を出し、遅延リレー１１は供給電力を遮断する（ステップ１０４）。これにより、画像形成装置１は電源が遮断される。
これに対して、操作者が電源遮断権限を有していないとき（ステップ１０３：Ｎ）、コントローラ２０は省エネ用リレー１２に対して遮断の指示を出し、省エネ用リレー１２は画像形成の各モジュール２２に対する電力供給を遮断する（ステップ１０５）。以上により、操作者が電源スイッチ１０に対してオフの操作をしたときの動作を終了する。
【００２３】
＜第２実施形態＞
第２実施形態にかかる画像形成装置５１は、警備モードモジュール２５がＰｏＥモジュール５２を介してネットワークから電力供給を受けている点で、商用電源から電源スイッチ１０又は遅延リレー１１を経由して電力供給を受ける図１に示した第１実施形態にかかる画像形成装置１と相違する。
図３は、第２実施形態に係る画像形成装置５１の機能ブロック図である。
図１に示した第１実施形態にかかる画像形成装置１と同一の部分には同一の参照符号を付することにより、それらの説明を省略する。
【００２４】
画像形成装置５１は、警備モードモジュール２５に電力を供給する給電手段の一例としてのＰｏＥモジュール５２と、画像形成の各モジュール２２にて形成される画像情報と警備モードモジュール２５にて撮影された画像とを記録する記録手段の一例としてのハードディスク装置５３とを有する。
ＰｏＥモジュール５２は、パワーオーバイーサネット（登録商標）（Power-over-Ethernet（登録商標））接続等の給電ネットワーク接続を介して通信と電力供給とを行う接続機器により構成される。
ハードディスク装置５３は、例えば、公知のハードディスクドライブにより構成される。ハードディスク装置５３は、画像形成の各モジュール２２にて形成される画像情報と警備モードモジュール２５にて撮影された画像とを記録する。
警備モードモジュール２５は、メモリ２５ｂを備えている。警備モードモジュール２５は、所定の警備モードに設定されているとき、コントローラ２０の指示のもと、撮影装置２５ａにより撮影された画像をメモリ２５ｂに記憶する。
【００２５】
次に、このような構成を採用した画像形成装置５１の動作を以下に説明する。
図４は、電力供給が遮断されたときの画像形成装置５１の動作のフローチャートである。
画像形成装置５１の電力供給が遮断されたとき、本プログラムは処理を開始する。
電力供給が遮断されるとコントローラ２０から警備モードモジュール２５へのアクセスがなくなるので、警備モードモジュール２５は電力供給が遮断された事実を検知する（ステップ２０１）。このとき、警備モードモジュール２５は、ＰｏＥモジュール５２から電力供給を受けているので、動作に支障は生じない。
【００２６】
電力供給が遮断されるとハードディスク装置５３は駆動しないので、警備モードモジュール２５は、通常の警備モード（第１警備モード）から電力消費の少ない第２警備モードへと、警備動作の内容を変更する。ここで、第１警備モードでは、警備モードモジュール２５は所定の警備範囲を動画により撮影して、コントローラ２０を介して動画画像をハードディスク装置５３へ記録する。これに対して、第２警備モードでは、警備モードモジュール２５は警備範囲を静止画撮影して、画像を警備モードモジュール２５内のメモリ２５ｂへ記憶する。このように、電力供給の遮断を検知した警備モードモジュール２５は、第２警備モードへ警備動作の内容を変更して画像撮影を継続する（ステップ２０２）。
【００２７】
そして、警備モードモジュール２５は、画像形成装置５１の電力供給が遮断された事実やその他予め定めた通知をＰｏＥモジュール５２を介して外部に対して通知する（ステップ２０３）。このとき、撮影した静止画を外部に対して送信してもよい。
以上により、画像形成装置５１の電力供給が遮断されたことを検知したときの画像形成装置５１の動作を終了する。
【００２８】
＜第３実施形態＞
第２実施形態ではＰｏＥモジュール５２を有する構成としたのに対して、第３実施形態では、画像形成装置７１がバッテリ及び充電回路７２と電源切換え回路７３を有する構成とした。
かかる構成を有することで、不審者が故意に画像形成装置７１の電源コードを抜いたとしても、バッテリ及び充電回路７２から電力供給を受けるので、警備モードモジュール２５は警備モードを維持することができる。商用電源からの電力供給が遮断されたときに、より電力消費の少ない警備モードに切り換える点は、第２実施形態と同じである。
図５は、第３実施形態に係る画像形成装置７１の機能ブロック図である。
図３に示した第２実施形態にかかる画像形成装置５１と同一の部分には同一の参照符号を付することにより、それらの説明を省略する。
【００２９】
画像形成装置７１は、給電手段の一例としてのバッテリ及び充電回路７２と、警備モードモジュール２５に電力を供給する電源として商用電源とバッテリ及び充電回路７２との間で電源を切り換える電源切換え回路７３と、接続するネットワーク１０１（図７参照）を経由して画像情報の授受を行う接続回路７４とを有する。
バッテリ及び充電回路７２は、例えば、公知のバッテリ及びその充電回路により構成される。バッテリ及び充電回路７２にて用いられるバッテリの容量やバッテリを充電するための充電回路の構成は、警備モードモジュール２５が警備モードを実行するときに消費電力に応じて決定される。
電源切換え回路７３は、例えば、公知のスイッチング回路により構成される。電源切換え回路７３は、商用電源から電源スイッチ１０又は遅延リレー１１を経由して供給される電力とバッテリ及び充電回路７２から供給される電力との間で電源を切り換えて、警備モードモジュール２５に電力を供給する。
接続回路７４は、例えば、公知のネットワーク接続回路により構成される、接続回路７４は、ネットワーク１０１（図７参照）に接続し、ネットワーク１０１を経由して画像形成装置７１にて形成される画像情報の授受を行う。
【００３０】
以上の構成を有する画像形成装置７１の動作を以下に説明する。
図６は、電力供給が遮断されたときの画像形成装置７１の動作のフローチャートである。
通常の動作時においては、バッテリ及び充電回路７２は、商用電源から電力の供給を受けて充電をしている。コントローラ２０は、商用電源から電源スイッチ１０又は遅延リレー１１と第１低圧電源１３とを介して電力を供給されている。
例えば、不審者によって電源コードが抜かれるなど、商用電源から画像形成装置７１への電力供給が遮断されたとき、本プログラムは処理を開始する。
電力供給が遮断されるとコントローラ２０は動作を停止する。コントローラ２０から警備モードモジュール２５へのアクセスがなくなるので、警備モードモジュール２５は電力供給が遮断された事実を検知できる（ステップ３０１）。
【００３１】
警備モードモジュール２５は、電源切換え回路７３に指示を出して、バッテリ及び充電回路７２からの電力供給に切り換える（ステップ３０２）。
電力供給が遮断されるとハードディスク装置５３は駆動しないので、警備モードモジュール２５は、通常の警備モード（第１警備モード）から電力消費の少ない第２警備モードへと、警備動作の内容を変更して画像撮影を継続する（ステップ３０３）。ここで、第１警備モードでは、警備モードモジュール２５は所定の警備範囲を動画により撮影して、動画画像をコントローラ２０を介してハードディスク装置５３へ記録する。これに対して、第２警備モードでは、警備モードモジュール２５は警備範囲を静止画撮影して、画像を警備モードモジュール２５内のメモリ２５ｂへ記憶する。
【００３２】
そして、接続回路７４は、画像形成装置７１の電力供給が遮断された事実やその他予め定めた通知をネットワーク１０１（図７参照）を経由して外部に対して通知する（ステップ３０４）。このとき、撮影した静止画を外部に対して送信してもよい。
以上により、不審者によって画像形成装置７１の電力供給が遮断されたことを検知したときの画像形成装置７１の動作を終了する。
【００３３】
＜画像形成システム＞
次に複数の画像形成装置５１ａ，５１ｂがネットワーク１０１を介して接続した画像形成システム１００において、画像形成装置５１ａ，５１ｂが互いに警備監視を行うシステムについて説明する。
図７は、画像形成システム１００の構成を示す図である。
図７に示すように、警備機能を備えた２台の画像形成装置５１ａ，５１ｂがネットワーク１０１を介して接続している。画像形成装置５１ａ，５１ｂの構成は、例えば、第２実施形態にて図３を用いて説明した画像形成装置５１と同じであるから、ここではその詳細な説明を省略する。
【００３４】
画像形成システム１００の動作を以下に説明する。
警備機能を備えた画像形成装置５１ａ，５１ｂのうち、例えば、画像形成装置５１ａが不審者（又はユーザ）によって電力供給が遮断されたと仮定する。
画像形成装置５１ａにおいて、コントローラ２０（図３参照）からのアクセスが停止するので、警備モードモジュール２５（図３参照）は電力供給が遮断された事実を検知する。
そして、警備モードモジュール２５は、電力供給が遮断された事実をＰｏＥモジュール５２（図３参照）を介して画像形成装置５１ｂに対して通知する。
通知を受けた画像形成装置５１ｂは電力供給が遮断されていないので、画像形成装置５１ａを含む所定の監視領域を撮影する。このように、画像形成システム１００を形成している画像形成装置５１ａは、他の画像形成装置５１ｂと警備を補完できる。
【００３５】
図２、図４又は図６に示したフローチャートに対応するプログラムをフレキシブルディスク又はハードディスク等の情報記録媒体に記録しておき、又はこれらのプログラムをインターネット等のネットワークを介して配信して記録しておき、これを例えば画像形成装置１等が有する汎用のコンピュータ等により読み出して実行させることにより、このコンピュータ等を画像形成装置１等の一部として機能させることも可能である。
【図面の簡単な説明】
【００３６】
【図１】第１実施形態に係る画像形成装置の機能ブロック図である。
【図２】電源スイッチがオフされたときの画像形成装置における動作のフローチャートである。
【図３】第２実施形態に係る画像形成装置の機能ブロック図である。
【図４】電力供給が遮断されたときの画像形成装置の動作のフローチャートである。
【図５】第３実施形態に係る画像形成装置の機能ブロック図である。
【図６】電力供給が遮断されたときの画像形成装置の動作のフローチャートである。
【図７】画像形成システムの構成を示す図である。
【符号の説明】
【００３７】
１，５１，５１ａ，５１ｂ，７１…画像形成装置、１０…電源スイッチ、１１…遅延リレー（開閉回路）、１２…省エネ用リレー（省エネ用開閉回路）、２０…コントローラ（制御手段）、２２…画像形成の各モジュール（画像形成手段）、２３…個人認証部（認証手段）、２４…ＵＩ部（受付手段）、２５…警備モードモジュール（警備手段）、２５ａ…撮影装置（撮影手段）、２５ｂ…メモリ（画像保存部）、５２…ＰｏＥモジュール（給電手段）、５３…ハードディスク装置（画像記録手段）、７２…バッテリ及び充電回路（給電手段）、７３…電源切換え回路（電源選択手段）、１００…画像形成システム、１０１…ネットワーク
【図１】
2009095980.tif 000003
【図２】
2009095980.tif 000004
【図３】
2009095980.tif 000005
【図４】
2009095980.tif 000006
【図５】
2009095980.tif 000007
【図６】
2009095980.tif 000008
【図７】
2009095980.tif 000009